(57)【要約】      （修正有）【課題】短い工期と低い費用で木造建築物の耐震補強を可能とするパネルと、該パネルを用いた強固な耐震補強構造壁体を提供する。【解決手段】矩形の金属製耐震補強パネル１であって、対角線を含むＸ字状の範囲を除く領域に少なくとも１の解放領域１１を有する。４辺及び４辺から一定距離部分を範囲とする枠部２１と、枠部２１に内接する中央部２２と、を有し、中央部２２は枠部２１に対して突出している。石膏ボードや合板等の壁内装材を取り除くこと無く、通常は縦に複数枚、金属製ビスや釘等により内装材を介して柱に固定し、強固な耐震補強構造壁体を形成する。入隅部分の構造については、金属製パネルの端を４５度に折り曲げたパネルを用いて直接柱７に固定するか、あるいはコーナー金物３ａ、３ｂを柱に固定し、その金物と柱７の間にパネルを固定する。【選択図】図３
0003216568.tif 000002
【実用新案登録請求の範囲】
【請求項１】
木造建築物の壁面に設置する矩形の耐震補強パネルであって、
前記矩形の２の対角線を含むＸ字状の範囲を除く領域に少なくとも１の解放領域を有することを特徴とする耐震補強パネル。
【請求項２】
前記耐震補強パネルは、
４辺及び４辺から一定距離部分を範囲とする枠部と、
前記枠部に内接する中央部と、
を有し、前記中央部は前記枠部に対して突出していることを特徴とする請求項１記載の耐震補強パネル。
【請求項３】
請求項１又は２記載の耐震補強パネルを取り付けた耐震補強構造壁体。
【考案の詳細な説明】
【技術分野】
【０００１】
本考案は、木造建築物の耐震補強に使用するパネル及び該パネルを取り付けた耐震補強構造壁体に関する。
【背景技術】
【０００２】
従来、木造建築物の耐震補強は、既存の壁の内部に、 筋交いや金物、構造用合板等を用いて行っている。最近では、新しい補強方法として、金属製補強パネルやブレースも提案されている。
【先行技術文献】
【特許文献】
【０００３】
【特許文献１】特開２００３−１８４２０９号
【特許文献１】特開２０１７−２０６９４１号
【考案の概要】
【考案が解決しようとする課題】
【０００４】
上述した従来の木造建築物の耐震補強においては、壁の内装材を撤去し、筋交いでの補強、構造用合板の施工、金属製補強パネルの施行等を行って耐震補強構造物としている。この工法によると、内装材を撤去するため工事が繁雑で、工期が長く、耐震補強の費用もより多くかかるため、耐震補強の必要性は認めても、実際に実施する人は多くなかった。
【０００５】
例えば、特許文献１、２の発明はいずれも耐震程度は高いが、建造物の壁体と一体となった耐震構造物であるため、工期と費用が膨らむ可能性が高く、上述の問題は解決されていない。
【０００６】
上述の問題に鑑み、本考案は、短い工期と低い費用で木造建築物の耐震補強を可能とするパネルと、該パネルを用いた強固な耐震補強構造壁体を提供することを課題とする。
【課題を解決するための手段】
【０００７】
上記課題を解決するために、請求項１の考案は、木造建築物の壁面に設置する耐震補強パネルであって、前記矩形の２の対角線を含むＸ字状の範囲を除く領域に少なくとも１の解放領域を有することを特徴とする。
【０００８】
請求項２の耐震補強パネルは、４辺及び４辺から一定距離部分を範囲とする枠部と、前記枠部に内接する中央部と、を有し、前記中央部は前記枠部に対して突出していることを特徴とする。
【０００９】
請求項３の考案は、請求項１又は２記載の耐震補強パネルを取り付けた耐震補強構造壁体である。
【考案の効果】
【００１０】
本考案に係る耐震補強パネル及び耐震補強構造壁体は、石膏ボードや合板等の内装材を取り除く工事を行うことなく、壁面に耐震補強パネルを取り付ける構成であるため、工期の大幅短縮と費用の低減が可能となる。具体的には、本構造物の工期は従来工法の約1/2から1/5に短縮し、費用は約1/2に安く抑えることができる。
【００１１】
本考案に係る耐震補強パネルは、金属製ビスや釘等により直接柱に取り付け、内装材を介して柱に強固に固定するので、十分な耐震補強効果を持つ構造壁体が実現する。
【００１２】
必要に応じて表面に化粧板、クロス張り等の仕上げが可能であるため、景観についての配慮も可能となる。
【図面の簡単な説明】
【００１３】
【図１】実施形態１に係る耐震補強パネルの斜視図である。
【図２】実施形態２に係る耐震補強パネルの斜視図である。
【図３】耐震補強構造壁体の一例を示す斜視図である。
【図４】入隅用のパネル取付金物の斜視図である。
【図５】入隅用折返しパネルの斜視図である。
【図６】入隅用折返しパネルの組合せを示す断面模式図である。丸内は組合せ部分の拡大模式図である。
【考案を実施するための形態】
【００１４】
以下、本実施形態に係る耐震補強パネル（以下、単に「パネル」という。）及び耐震補強構造壁体について、図を用いて説明する。
【００１５】
まず、パネル単体の特徴について述べる。
（実施形態１）
実施形態１のパネルは請求項１記載のパネルであって、図１に示すように、対角線１２によって分けられた４つの領域に、それぞれ略二等辺三角形の解放領域１１を有する。パネルの材質は0.8ｍｍから5ｍｍの鉄板およびメッキ、塗装等により防錆処理をした鉄板、アルミニウムおよびアルミニウム合金板、ステンレス板等の金属製が好ましく、価格、強度、耐久性の点で1.6ｍｍから3.2ｍｍボンデ鋼板がより好ましい。
【００１６】
パネルのサイズは幅910ｍｍが標準寸法であり、高さは600ｍｍから800ｍｍである。また、入隅部分のパネルのサイズは、コーナー金物および下地材等の厚みを考慮して、決定される。
【００１７】
（実施形態２）
実施形態２のパネルは請求項２記載のパネルであって、実施形態１のパネルと比較して、パネルの強度をより高めた立体的形状に特徴がある。すなわち、図２に示すように、全体が枠部２１と中央部２２より成る構成において、中央部２２の面位置が枠部２１の面位置よりも5ｍｍから20ｍｍ程度突出して成型されている。
【００１８】
（耐震補強構造壁体）
次に、パネルの取付方法と、建築物で云う入隅部分の取り扱いについて述べる。
取り付けに際しては、図３に示すように、縦に３枚取り付けるのが好ましい。石膏ボードや合板等の内装材を取り除くこと無く、金属製ビスや釘等により内装材を介して柱７に強固に固定するため、全体として充分な耐震補強効果を持つ構造壁体となる。
【００１９】
また、入隅部分の取付けについては、以下の２通りの方法により、耐震補強効果を担保している。
【００２０】
第１は、図４に示すような入隅用パネル取付金物３ａ、３ｂを使用して、間接的にパネルを柱７に固定する方法である。具体的には、金物３ａ、３ｂを柱７に強固に固定し、金物３ａ、３ｂと柱７の間にパネル１を固定する。図３は、この方法によって形成された構造壁体を示す。
【００２１】
第２は、図５に示すような縦辺を４５度に折返したパネル４を使用する方法である。図６に示すように、２枚のパネルの折返し部４１を入隅で重ね、これを金属製ビスや釘等により直接柱７に固定する。
いずれの方法によっても、パネルは柱に強固に固定されるため、充分な耐震補強効果を持つ構造壁体となる。
【符号の説明】
【００２２】
１      パネル
１１    解放領域
１２    対角線
１３    ビス穴
２１    枠部
２２    中央部
３ａ    入隅用パネル取付金物（上下用）
３ｂ    入隅用パネル取付金物（接続用）
４      入隅用折返しパネル
４１    折返し部
５      既存壁下地材
６      既存壁胴縁
７      柱
【図１】
0003216568.tif 000003
【図２】
0003216568.tif 000004
【図３】
0003216568.tif 000005
【図４】
0003216568.tif 000006
【図５】
0003216568.tif 000007
【図６】
0003216568.tif 000008